(57)【要約】  有機ＥＬ照明器具（１０１）は、複数の有機ＥＬパネル（１）が面状に配列された発光部（１０）を備え、発光部（１０）内における複数の有機ＥＬパネル（１）の密集の度合いは、発光部（１０）内の外周側に比べて発光部（１０）内の中央側の方が小さい。有機ＥＬ照明器具（１０１）は、各々の有機ＥＬパネル（１）における長寿命化を図ることができる。
2012172880.tif 000002
【特許請求の範囲】
【請求項１】
複数の有機ＥＬパネル（１）が面状に配列された発光部（１０）を備え、
前記発光部（１０）内における複数の前記有機ＥＬパネル（１）の密集の度合いは、前記発光部（１０）内の外周側に比べて前記発光部（１０）内の中央側の方が小さい、
有機ＥＬ照明器具。
【請求項２】
前記発光部（１０）内の中央側に配置される複数の前記有機ＥＬパネル（１）同士の間隔（Ｄ２）は、前記発光部（１０）内の外周側に配置される複数の前記有機ＥＬパネル（１）同士の間隔（Ｄ１）よりも広い、
請求項１に記載の有機ＥＬ照明器具。
【請求項３】
前記発光部（１０）は、前記有機ＥＬパネル（１）が設けられる有機ＥＬパネル配設領域（Ａ１）と、前記有機ＥＬパネル（１）が設けられない有機ＥＬパネル非配設領域（Ａ２）と、を含み、
前記有機ＥＬパネル配設領域（Ａ１）および前記有機ＥＬパネル非配設領域（Ａ２）は、互いに同一の間隔（Ｄ１）を空けて配列され、全体として行列方向に沿って並んで配置される、
請求項１に記載の有機ＥＬ照明器具。
【請求項４】
前記発光部（１０）内の中央側においては、前記有機ＥＬパネル配設領域（Ａ１）および前記有機ＥＬパネル非配設領域（Ａ２）は、千鳥状に配置される、
請求項３に記載の有機ＥＬ照明器具。
【発明の詳細な説明】
【技術分野】
【０００１】
本発明は、有機ＥＬ照明器具に関し、特に、面状に配列された複数の有機ＥＬパネルを備える有機ＥＬ照明器具に関する。
【背景技術】
【０００２】
特開２００９−１６４０２２号公報（特許文献１）に開示されるように、発光素子として複数の有機ＥＬ（Organic  Electro  Luminescence）パネルを備えた照明器具が知られている。このような照明器具においては、複数の有機ＥＬパネルが面状（平面状および曲面状を含む）に配列されることによって、面状の発光部が形成される。【０００３】
面状の発光部は、面全体が発光するいわゆる面光源を構成する。面光源は、白熱灯およびＬＥＤ（Light  Emitting  Diode）のような点光源、ならびに蛍光灯のような線光源とは異なり、輝度を抑えた柔らかな照光を演出することができるため、高品位な用途に適している。また、このような面光源を備えた照明器具は、発光部の厚さを薄く構成することができるため、省スペース化を図ることも可能となっている。
【先行技術文献】
【特許文献】
【０００４】
【特許文献１】特開２００９−１６４０２２号公報
【発明の概要】
【発明が解決しようとする課題】
【０００５】
本発明は、面状に配列された複数の有機ＥＬパネルを備える有機ＥＬ照明器具であって、各々の有機ＥＬパネルにおける長寿命化を図ることが可能な有機ＥＬ照明器具を提供することを目的とする。
【課題を解決するための手段】
【０００６】
本発明に基づく有機ＥＬ照明器具は、複数の有機ＥＬパネルが面状に配列された発光部を備え、上記発光部内における複数の上記有機ＥＬパネルの密集の度合いは、上記発光部内の外周側に比べて上記発光部内の中央側の方が小さい。【０００７】
好ましくは、上記発光部内の中央側に配置される複数の上記有機ＥＬパネル同士の間隔は、上記発光部内の外周側に配置される複数の上記有機ＥＬパネル同士の間隔よりも広い。【０００８】
好ましくは、上記発光部は、上記有機ＥＬパネルが設けられる有機ＥＬパネル配設領域と、上記有機ＥＬパネルが設けられない有機ＥＬパネル非配設領域と、を含み、上記有機ＥＬパネル配設領域および上記有機ＥＬパネル非配設領域は、互いに同一の間隔を空けて配列され、全体として行列方向に沿って並んで配置される。【０００９】
好ましくは、上記発光部内の中央側においては、上記有機ＥＬパネル配設領域および上記有機ＥＬパネル非配設領域は、千鳥状に配置される。
【発明の効果】
【００１０】
本発明によれば、面状に配列された複数の有機ＥＬパネルを備える有機ＥＬ照明器具であって、各々の有機ＥＬパネルにおける長寿命化を図ることが可能な有機ＥＬ照明器具を得ることが可能となる。
【図面の簡単な説明】
【００１１】
【図１】本発明に関する比較例における有機ＥＬ照明器具を示す平面図である。
【図２】図１中のＩＩ−ＩＩ線に沿った矢視断面図である。
【図３】本発明に関する比較例における有機ＥＬ照明器具を所定の時間連続的に点灯させた際の、発光部内における温度分布を示す平面図である。
【図４】有機ＥＬパネルの動作時における有機ＥＬパネルの温度と、有機ＥＬパネルの耐用期間（時間）との相関関係を示す図である。
【図５】実施の形態１における有機ＥＬ照明器具を示す第１平面図である。
【図６】実施の形態１における有機ＥＬ照明器具を示す第２平面図である。
【図７】実施の形態１における有機ＥＬ照明器具を所定の時間連続的に点灯させた際の、発光部内における温度分布を示す平面図である。
【図８】実施の形態２における有機ＥＬ照明器具を示す平面図である。
【図９】実施の形態２における有機ＥＬ照明器具を所定の時間連続的に点灯させた際の、発光部内における温度分布を示す平面図である。
【図１０】実施の形態２の変形例における有機ＥＬ照明器具を示す平面図である。
【発明を実施するための形態】
【００１２】
［比較例］
本発明に基づいた各実施の形態について説明する前に、本発明に関する比較例について、以下、図面を参照しながら説明する。図１は、本比較例における有機ＥＬ照明器具１００を示す平面図である。図２は、図１中のＩＩ−ＩＩ線に沿った矢視断面図である。
【００１３】
図１および図２に示すように、有機ＥＬ照明器具１００は、複数の有機ＥＬパネル１が面状に配列されることによって構成される発光部１０と、複数の有機ＥＬパネル１を天井（図示せず）または壁面（図示せず）などに固定するための筐体２０と、複数の有機ＥＬパネル１の各々に電流を供給する駆動回路（図示せず）と、を備える。
【００１４】
略同一の面積を有する複数の有機ＥＬパネル１は、５枚×５枚のいわゆるマトリックス状に配列される。隣り合う有機ＥＬパネル１同士の間には、行方向（図１紙面左右方向）および列方向（図１紙面上下方向）の双方において、間隔Ｄ１が設けられる。
【００１５】
複数の有機ＥＬパネル１は、筐体２０に取り付けられる。複数の有機ＥＬパネル１が発光している際、複数の有機ＥＬパネル１において発生する熱は、筐体２０に伝えられる。筐体２０は、複数の有機ＥＬパネル１に対して、放熱体として機能する。
【００１６】
筐体２０に対して、発光部１０の占有面積が相対的に大きくなるように構成される場合がある。発光部１０内における外周側に配置された有機ＥＬパネル１は、周囲に配置される有機ＥＬパネルの数が限られているため、筐体２０の放熱作用によって昇温しにくい。
【００１７】
一方、発光部１０内における中央側に配置された有機ＥＬパネル１は、その周囲が他の複数の有機ＥＬパネル１によって取り囲まれている。
【００１８】
有機ＥＬパネル１への筐体２０による放熱作用は、発光部１０内における中央側に配置された有機ＥＬパネル１の方が、発光部１０内における外周側に配置された有機ＥＬパネル１に比べて低い。複数の有機ＥＬパネル１同士の間の間隔Ｄ１が狭くなるように構成される場合、発光部１０内における中央側に配置された有機ＥＬパネル１における放熱効率は一層低下することとなる。
【００１９】
図３は、有機ＥＬ照明器具１００を所定の時間連続的に点灯させた際の、発光部１０内における温度分布を示す平面図である。図３を参照して、有機ＥＬ照明器具１００においては、複数の有機ＥＬパネル１同士の間に放熱効率の差が生じている。この放熱効率の差が原因となって、発光部１０内における最中央側に位置する有機ＥＬパネル１（１ｃ）およびその外周に位置する有機ＥＬパネル１（１ｂ）同士の間の境界線Ｒｃ付近においては、周囲の環境温度に対してたとえば＋１５℃の温度上昇が生じる。
【００２０】
有機ＥＬパネル１（１ｂ）およびその外周側に位置する有機ＥＬパネル１（１ａ）同士の間の境界線Ｒｂ付近においては、周囲の環境温度に対してたとえば＋１０℃の温度上昇が生じる。有機ＥＬパネル１（１ａ）の外側に位置する境界線Ｒａ付近においては、周囲の環境温度に対してたとえば＋５℃の温度上昇が生じる。
【００２１】
このように、有機ＥＬパネル１（１ｂ）付近の放熱効率が有機ＥＬパネル１（１ａ）の放熱効率よりも低くなり、有機ＥＬパネル１（１ｃ）付近の放熱効率が有機ＥＬパネル１（１ｂ）の放熱効率よりも低くなることによって、発光部１０の中央側の温度は、発光部１０の外周側の温度よりも高くなる。
【００２２】
有機ＥＬパネルは有機材料から構成され、様々な要因によってこの有機材料は劣化する。一般には、有機ＥＬパネルの動作時における有機ＥＬパネルの温度と有機ＥＬパネルの耐用期間（時間）との間には、次のような相関関係が存在している。
【００２３】
図４は、有機ＥＬパネルの動作時における有機ＥＬパネルの温度と、有機ＥＬパネルの耐用期間（時間）との相関関係Ｌ１０を示す図である。図４における有機ＥＬパネルの耐用期間（時間）とは、一定の電流を有機ＥＬパネルに通電した際に、初期の状態に比べて所定の輝度（たとえば７０％または５０％など）にまで低下するまでの時間を意味している。
【００２４】
図４において、有機ＥＬパネルの動作時における有機ＥＬパネルの温度Ｔの際の耐用期間をＬ（Ｔ）とすると、Ｌ（Ｔ１）＝Ｌ１、Ｌ（Ｔ２）＝Ｌ２、そして、Ｌ（Ｔ３）＝Ｌ３である。Ｔ１＋５℃＝Ｔ２であり、Ｔ２＋５℃＝Ｔ３であるとすると、たとえば、Ｌ１×０．８＝Ｌ２となり、Ｌ２×０．８＝Ｌ３となる。この場合、有機ＥＬパネルの動作時における有機ＥＬパネルの温度が５℃上昇すると、耐用期間は０．８倍に低下することとなる。
【００２５】
上述のとおり、図３中に示す有機ＥＬ照明器具１００においては、最外周側に位置する有機ＥＬパネル１（１ａ）に比べて、その一つ内側に位置する有機ＥＬパネル１（１ｂ）には、＋５℃の温度上昇が生じる。その結果、最外周側に位置する有機ＥＬパネル１（１ａ）に比べて、その一つ内側に位置する有機ＥＬパネル１（１ｂ）は、耐用期間が０．８倍となる。
【００２６】
最外周側に位置する有機ＥＬパネル１（１ａ）に比べて、その二つ内側（発光部１０としては最中央側）に位置する有機ＥＬパネル１（１ｃ）には、＋１０℃の温度上昇が生じる。その結果、最外周側に位置する有機ＥＬパネル１（１ａ）に比べて、その二つ内側に位置する有機ＥＬパネル１（１ｃ）は、耐用期間が０．６４倍（＝０．８倍×０．８倍）となる。このように、中央側に配置された有機ＥＬパネルほど、耐用期間が短くなることになる。
【００２７】
有機ＥＬ照明器具１００としては、各々の有機ＥＬパネル１が、筐体２０から容易には取り外しできないように構成される場合がある。この場合、有機ＥＬパネル１（１ａ），１（１ｂ）が耐用期間の満了に達していないにもかかわらず、有機ＥＬ照明器具１００の全体としての耐用期間は有機ＥＬパネル１（１ｃ）によって律速されてしまい、有機ＥＬ照明器具１００としての耐用期間も短くなる。各々の有機ＥＬパネル１を筐体２０から取り外し可能なように有機ＥＬ照明器具１００が構成される場合であっても、有機ＥＬパネル１（１ｃ）のみを頻繁に交換する必要が生じる。
【００２８】
［実施の形態］
以下、本発明に基づいた各実施の形態について、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。特に制限が無い限り、各実施の形態に示す構成を適宜組み合わせて用いることは、当初から予定されていることである。
【００２９】
［実施の形態１］
図５および図６を参照して、本実施の形態における有機ＥＬ照明器具１０１について説明する。図５は、有機ＥＬ照明器具１０１を示す第１平面図である。図６は、有機ＥＬ照明器具１０１を示す第２平面図である。
【００３０】
図５に示すように、有機ＥＬ照明器具１０１は、複数の有機ＥＬパネル１が面状に配列されることによって構成される発光部１０と、複数の有機ＥＬパネル１を天井（図示せず）または壁面（図示せず）などに固定するための筐体２０と、複数の有機ＥＬパネル１の各々に電流を供給する駆動回路（図示せず）と、を備える。
【００３１】
本実施の形態における有機ＥＬ照明器具１０１においては、略同一の面積を有する２０枚の有機ＥＬパネル１が用いられる。具体的には、１６枚の有機ＥＬパネル１（１ａ）が、発光部１０内の外周側において環状に配置される。隣り合う有機ＥＬパネル１（１ａ）同士の間には、横方向（図５紙面左右方向）および縦方向（図５紙面上下方向）の双方において、間隔Ｄ１が設けられる。
【００３２】
４枚の有機ＥＬパネル１（１ｂ）は、発光部１０内の有機ＥＬパネル１（１ａ）の内側において環状に配置される。４枚の有機ＥＬパネル１（１ａ）は、発光部１０内の中央側に位置している。隣り合う有機ＥＬパネル１（１ｂ）同士の間には、横方向（図５紙面左右方向）および縦方向（図５紙面上下方向）の双方において、間隔Ｄ２が設けられる。また、有機ＥＬパネル１（１ｂ）とこの有機ＥＬパネル１（１ｂ）に最も近い有機ＥＬパネル１（１ａ）との間にも、間隔Ｄ２が設けられる。間隔Ｄ２は、間隔Ｄ１よりも広い。
【００３３】
複数の有機ＥＬパネル１は、筐体２０に取り付けられる。複数の有機ＥＬパネル１が発光している際、複数の有機ＥＬパネル１において発生する熱は、筐体２０に伝えられる。筐体２０は、複数の有機ＥＬパネル１に対して、放熱体として機能する。
【００３４】
図６を参照して、有機ＥＬ照明器具１０１においては、複数の有機ＥＬパネル１の各々が上記のように配置されることによって、発光部１０内における複数の有機ＥＬパネル１の密集の度合い（密集度）は、発光部１０内の外周側に比べて発光部１０内の中央側の方が小さくなっている。
【００３５】
具体的には、発光部１０を、外周側発光部１０ａと中央側発光部１０ｂとに分けたとする。有機ＥＬパネル１の１枚の面積は、（Ｗ１×Ｗ１）であるとする。中央側発光部１０ｂの面積が（Ｗｂ×Ｗｂ）であるとすると、外周側発光部１０ａの面積は、（Ｗａ×Ｗａ−Ｗｂ×Ｗｂ）である。
【００３６】
この場合、外周側発光部１０ａにおける密集度は、（Ｗ１×Ｗ１）×１６枚／［（Ｗａ×Ｗａ−Ｗｂ×Ｗｂ）］によって表される。中央側発光部１０ｂにおける密集度は、（Ｗ１×Ｗ１）×４枚／（Ｗｂ×Ｗｂ）によって表される。（外周側発光部１０ａにおける密集度）＞（中央側発光部１０ｂにおける密集度）が成立するように、上記の各寸法が設計される。
【００３７】
本実施の形態において、たとえば、Ｗ１＝１２ｃｍ、Ｗａ＝８０ｃｍ、Ｗｂ＝４０ｃｍとすると、上記の式から、外周側発光部１０ａにおける密集度は４８％となり、中央側発光部１０ｂにおける密集度は３６％となる。（外周側発光部１０ａにおける密集度）＞（中央側発光部１０ｂにおける密集度）の関係が満足される。この場合、図５における間隔Ｄ１は約３．５ｃｍとなり、図５における間隔Ｄ２は約８．３ｃｍとなる。図７は、有機ＥＬ照明器具１０１を所定の時間連続的に点灯させた際の、発光部１０内における温度分布を示す平面図である。図７に示すように、有機ＥＬ照明器具１０１によれば、発光部１０内の中央側において、各々の有機ＥＬパネル１（１ｂ）周りの放熱効率が向上する。発光部１０内の中央側における局所的な温度上昇が抑制されるため、領域Ｒｄ内の全体として、略均一な温度分布が形成される。
【００３８】
したがって、各々の有機ＥＬパネル１における耐用期間のばらつきは緩和され、各々の有機ＥＬパネル１の全体としての長寿命化を図ることが可能となる。一部の有機ＥＬパネル１の耐用期間の満了によって有機ＥＬ照明器具１０１の全体としての耐用期間が律速されることもなく、また、一部の有機ＥＬパネル１のみを頻繁に交換する必要もない。
【００３９】
［実施の形態２］
図８を参照して、本実施の形態における有機ＥＬ照明器具１０２について説明する。図８は、有機ＥＬ照明器具１０２を示す平面図である。
【００４０】
図８に示すように、有機ＥＬ照明器具１０２は、複数の有機ＥＬパネル１が面状に配列されることによって構成される発光部１０と、複数の有機ＥＬパネル１を天井（図示せず）または壁面（図示せず）などに固定するための筐体２０と、複数の有機ＥＬパネル１の各々に電流を供給する駆動回路（図示せず）と、を備える。
【００４１】
本実施の形態における発光部１０は、有機ＥＬパネル１が設けられる有機ＥＬパネル配設領域Ａ１と、有機ＥＬパネル１が設けられない有機ＥＬパネル非配設領域Ａ２と、を含む。各々の有機ＥＬパネル配設領域Ａ１および各々の有機ＥＬパネル非配設領域Ａ２は、互いに間隔Ｄ１を空けて配列されるとともに、全体として行列方向に沿って並んで（いわゆるマトリックス状に）配置される。さらに、本実施の形態における発光部１０内の中央側においては、複数の有機ＥＬパネル配設領域Ａ１および有機ＥＬパネル非配設領域Ａ２同士が千鳥状に配列される。
【００４２】
有機ＥＬ照明器具１０２においても、複数の有機ＥＬパネル１の各々が上記のように配置されることによって、発光部１０内における複数の有機ＥＬパネル１の密集の度合い（密集度）は、発光部１０内の外周側に比べて発光部１０内の中央側の方が小さくなっている。
【００４３】
図８は、有機ＥＬ照明器具１０２を所定の時間連続的に点灯させた際の、発光部１０内における温度分布を示す平面図である。図８に示すように、有機ＥＬ照明器具１０２によれば、発光部１０内の中央側において、各々の有機ＥＬパネル１（１ｂ）周りの放熱効率が向上する。発光部１０内の中央側における局所的な温度上昇が抑制されるため、領域Ｒｄ内の全体として略均一な温度分布が形成される。
【００４４】
したがって、各々の有機ＥＬパネル１における耐用期間のばらつきは緩和され、各々の有機ＥＬパネル１の全体としての長寿命化を図ることが可能となる。また、有機ＥＬ照明器具１０２においては、各々の有機ＥＬパネル配設領域Ａ１および各々の有機ＥＬパネル非配設領域Ａ２が、互いに間隔Ｄ１を空けて配列されるとともに、全体として行列方向に沿って並んで配置される。当該構成によれば、設計上および生産上の効率化を図ることも可能となり、製造費用を低減することもできる。
【００４５】
また、図１０に示す有機ＥＬ照明器具１０２ａのように、発光部１０内の最中央にのみ有機ＥＬパネル非配設領域Ａ２を設けてもよい。この場合、照明装置としての発光輝度を向上させることも可能となる。
【００４６】
以上、本発明に基づいた各実施の形態について説明したが、今回開示された各実施の形態はすべての点で例示であって制限的なものではない。本発明の技術的範囲は請求の範囲によって示され、請求の範囲と均等の意味および範囲内でのすべての変更が含まれることが意図される。
【符号の説明】
【００４７】
１，１ａ，１ｂ，１ｃ  有機ＥＬパネル、１０  発光部、１０ａ  外周側発光部、１０ｂ  中央側発光部、２０  筐体、１００，１０１，１０２，１０２ａ  照明器具、Ａ１  有機ＥＬパネル配設領域、Ａ２  有機ＥＬパネル非配設領域。
【図１】
2012172880.tif 000003
【図２】
2012172880.tif 000004
【図３】
2012172880.tif 000005
【図４】
2012172880.tif 000006
【図５】
2012172880.tif 000007
【図６】
2012172880.tif 000008
【図７】
2012172880.tif 000009
【図８】
2012172880.tif 000010
【図９】
2012172880.tif 000011
【図１０】
2012172880.tif 000012
【手続補正書】
【提出日】平成25年11月18日(2013.11.18)
【手続補正１】
【補正対象書類名】特許請求の範囲
【補正対象項目名】全文
【補正方法】変更
【補正の内容】
【特許請求の範囲】
【請求項１】
複数の有機ＥＬパネルが面状に配列された発光部を備え、
前記発光部内における複数の前記有機ＥＬパネルの密集の度合いは、前記発光部内の外周側に比べて前記発光部内の中央側の方が小さい、
有機ＥＬ照明器具。
【請求項２】
前記発光部内における複数の前記有機ＥＬパネルの密集の度合いは、前記発光部内の外周側と前記発光部内の中央側とで温度分布が略均一となるように定められている、
請求項１に記載の有機ＥＬ照明器具。
【請求項３】
前記発光部内の中央側に配置される複数の前記有機ＥＬパネル同士の間隔は、前記発光部内の外周側に配置される複数の前記有機ＥＬパネル同士の間隔よりも広い、
請求項１または２に記載の有機ＥＬ照明器具。
【請求項４】
前記発光部は、前記有機ＥＬパネルが設けられる有機ＥＬパネル配設領域と、前記有機ＥＬパネルが設けられない有機ＥＬパネル非配設領域と、を含み、
前記有機ＥＬパネル配設領域および前記有機ＥＬパネル非配設領域は、互いに同一の間隔を空けて配列され、全体として行列方向に沿って並んで配置される、
請求項１または２に記載の有機ＥＬ照明器具。
【請求項５】
前記発光部内の中央側においては、前記有機ＥＬパネル配設領域および前記有機ＥＬパネル非配設領域は、千鳥状に配置される、
請求項４に記載の有機ＥＬ照明器具。
【請求項６】
前記発光部は、面状に配列された複数の前記有機ＥＬパネルが筺体に取り付けられることにより形成され、
前記筺体は、複数の前記有機ＥＬパネルの放熱体として機能している、
請求項１から５のいずれか１項に記載の有機ＥＬ照明器具。
【国際調査報告】
2012172880.tif 000013
2012172880.tif 000014
2012172880.tif 000015
2012172880.tif 000016